(57)【特許請求の範囲】
【請求項１】
複数の信号線路が所望する場所にまで導かれた光芯線によって構成された光線路の信号線路特性導出システムであって、
前記信号線路特性を導出する前記信号線路を指定する信号線路指定部と、
前記光線路を区切った複数の区間のそれぞれにある複数の光芯線のうちの定められた代表光芯線の信号線路特性を記憶する信号線路特性データベースと、
複数の前記信号線路のそれぞれに対応する前記区間の組み合わせを記憶する区間データベースと、
前記信号線路指定部に指定された前記信号線路を構成する組み合わせの区間を前記区間データベースから抽出し、抽出された前記区間のそれぞれの信号線路特性を前記信号線路特性データベースから抽出して合成する合成部と
を備えることを特徴とする光線路の信号線路特性導出システム。
【請求項２】
前記合成部は、前記信号線路特性データベースから抽出された前記区間のそれぞれの信号線路特性と、それぞれの区間を区切る接続部における接続損失とを合成する請求項１に記載の光線路の信号線路特性導出システム。
【請求項３】
複数の信号線路が所望する場所にまで導かれた光芯線によって構成された光線路を区切った複数の区間のそれぞれにある複数の光芯線のうちの定められた代表光芯線の信号線路特性を記憶する信号線路特性データベースと、複数の前記信号線路のそれぞれに対応する前記区間の組み合わせを記憶する区間データベースとを用いて、光線路の信号線路特性を導出する方法であって、
前記信号線路特性を導出する前記信号線路を指定する信号線路指定工程と、
指定された前記信号線路を構成する組み合わせの区間を前記区間データベースから抽出する区間抽出工程と、
抽出された前記区間のそれぞれの信号線路特性を前記信号線路特性データベースから抽出する信号線路特性抽出工程と、
抽出された前記信号線路特性を合成する信号線路特性合成工程と
を備えることを特徴とする光線路の信号線路特性を導出する方法。
【請求項４】
前記信号線路特性合成工程は、前記信号線路特性データベースから抽出された前記区間のそれぞれの信号線路特性と、それぞれの区間を区切る接続部における接続損失とを合成する請求項３に記載の光線路の信号線路特性を導出する方法。
【発明の詳細な説明】
【技術分野】
【０００１】
本発明は、複数の光芯線のそれぞれが所望する場所にまで導かれて信号線路を構成した光線路の信号線路特性導出システム及び光線路の信号線路特性を導出する方法に関する。
【背景技術】
【０００２】
一般的に、光線路は、情報に係る信号を伝送するための複数の信号線路を有する。複数の信号線路のそれぞれは、所望する場所にまで導かれた光芯線により構成される。すなわち、光線路は、複数の光芯線のそれぞれで構成された複数の信号線路を有する。
【０００３】
ところで、光線路の異常の有無を判断するには、その判断基準が必要であるため、一般的には、正常時の信号線路特性が予め記憶され、光線路の異常の有無を判断する際に、記憶された信号線路特性が判断基準として使用されている。
【０００４】
より具体的に説明する。光線路は、上述の如く、複数の信号線路を有するため、予め（例えば、新規設置時）に各信号線路の信号線路特性が正常時のものとして計測され、その計測結果が以後の判断基準として記憶される。
【０００５】
そして、信号線路の異常の有無を判断するにあたり、信号線路の信号線路特性を計測し、その計測した信号線路の信号線路特性と、予め記憶した判断基準としての信号線路の信号線路特性とが比較される。これらの信号線路特性が一致すれば、測定対象となった信号線路は正常と判断され、これらの信号線路特性が一致しなければ、測定対象となった信号線路は異常と判断される（特許文献１参照）。
【０００６】
ところで、上記方法で信号線路の異常の有無を判断する場合、上述の如く、予め複数の信号線路のそれぞれの信号線路特性を全長に亘って計測し、それを記憶しておかなければならない。そのため、信号線路特性を記憶する信号線路特性データベースの記憶容量が大容量となり、信号線路の信号線路特性の検索時間も、長時間化するといった問題がある。特に、この問題は、信号線路（光芯線）の数が多い光線路を対象とした場合に大きな問題となる。
【先行技術文献】
【特許文献】
【０００７】
【特許文献１】特開平  ７−  ４９２８８号公報
【発明の概要】
【発明が解決しようとする課題】
【０００８】
そこで、本発明は、かかる事情に鑑み、複数の信号線路のそれぞれの全長に亘る信号線路特性を記憶していなくても、各信号線路の信号線路特性を導出することができる光線路の信号線路特性導出システム及び光線路の信号線路特性を導出する方法を提供することを課題とする。
【課題を解決するための手段】
【０００９】
本発明に係る光線路の信号線路特性導出システムは、複数の信号線路が所望する場所にまで導かれた光芯線によって構成されたシステムであって、信号線路特性を導出する信号線路を指定する信号線路指定部と、光線路を区切った複数の区間のそれぞれにある複数の光芯線のうちの定められた代表光芯線の信号線路特性を記憶する信号線路特性データベースと、複数の信号線路のそれぞれに対応する区間の組み合わせを記憶する区間データベースと、信号線路指定部に指定された信号線路を構成する組み合わせの区間を区間データベースから抽出し、抽出された区間のそれぞれの信号線路特性を信号線路特性データベースから抽出して合成する合成部とを備えることを特徴とする。
【００１０】
かかる構成によれば、信号線路特性データベースには、複数の区間のそれぞれの代表光芯線の信号線路特性のみが記憶されている。つまり、複数ある光芯線のうちの残りの光芯線の信号線路特性は、信号線路特性データベースには、記憶されていない。残りの光芯線の信号線路特性は、代表光芯線の信号線路特性と略同一の特性を有する。そのため、光線路のそれぞれの区間における所望の信号線路の信号線路特性が当該区間における代表光芯線でなく、信号線路特性データベースに記憶されていなくても、当該区間における代表光芯線の信号線路特性を、当該区間における所望の信号線路の信号線路特性として利用することができる。
【００１１】
そして、所望の信号線路と対応する光線路の区間の組み合わせは、区間データベースから抽出することができるため、所望の信号線路を構成する組み合わせの区間ごとの信号線路特性を抽出することができる。これらの区間ごとの信号線路特性を合成することにより、所望の信号線路の信号線路特性が導出される。よって、信号線路特性データベースに光芯線ごとの信号線路特性が記憶されていなくても、所望の信号線路の信号線路特性を導出することができる。
【００１２】
ここで、本発明に係る光線路の信号線路特性導出システムの一態様として、合成部は、信号線路特性データベースから抽出された区間のそれぞれの信号線路特性と、それぞれの区間を区切る接続部における接続損失とを合成するようにしてもよい。
【００１３】
このようにすれば、接続損失も考慮して、信号線路の信号線路特性が導出されるため、合成部が導出する信号線路の信号線路特性は、より正確な特性となる。
【００１４】
本発明に係る光線路の信号線路特性を導出する方法は、複数の信号線路が所望する場所にまで導かれた光芯線によって構成された光線路を区切った複数の区間のそれぞれにある複数の光芯線のうちの定められた代表光芯線の信号線路特性を記憶する信号線路特性データベースと、複数の信号線路のそれぞれに対応する区間の組み合わせを記憶する区間データベースとを用いて、光線路の信号線路特性を導出する方法であって、信号線路特性を導出する信号線路を指定する信号線路指定工程と、指定された信号線路を構成する組み合わせの区間を区間データベースから抽出する区間抽出工程と、抽出された区間のそれぞれの信号線路特性を信号線路特性データベースから抽出する信号線路特性抽出工程と、抽出された信号線路特性を合成する信号線路特性合成工程とを備えることを特徴とする。
【００１５】
かかる構成によれば、信号線路特性データベースには、複数の区間のそれぞれの代表光芯線の信号線路特性のみが記憶されている。つまり、複数ある光芯線のうちの残りの光芯線の信号線路特性は、信号線路特性データベースには、記憶されていない。残りの光芯線の信号線路特性は、代表光芯線の信号線路特性と略同一の特性を有する。そのため、光線路のそれぞれの区間における所望の信号線路の信号線路特性が当該区間における代表光芯線でなく、信号線路特性データベースに記憶されていなくても、当該区間における代表光芯線の信号線路特性を、当該区間における所望の信号線路の信号線路特性として利用することができる。
【００１６】
そして、所望の信号線路と対応する光線路の区間の組み合わせは、区間データベースから抽出することができるため、所望の信号線路を構成する組み合わせの区間ごとの信号線路特性を抽出することができる。これらの区間ごとの信号線路特性を合成することにより、所望の信号線路の信号線路特性が導出される。よって、信号線路特性データベースに光芯線ごとの信号線路特性が記憶されていなくても、所望の信号線路の信号線路特性を導出することができる。
【００１７】
また、本発明に係る光線路の信号線路特性を導出する方法の一態様として、信号線路特性合成工程は、信号線路特性データベースから抽出された区間のそれぞれの信号線路特性と、それぞれの区間を区切る接続部における接続損失とを合成するようにしてもよい。
【００１８】
このようにすれば、接続損失も考慮して、信号線路の信号線路特性が導出されるため、合成部が導出する信号線路の信号線路特性は、より正確な特性となる。
【発明の効果】
【００１９】
以上の如く、本発明に係る光線路の信号線路特性導出システム及び光線路の信号線路特性を導出する方法によれば、複数の信号線路のそれぞれの全長に亘る信号線路特性を記憶していなくても、各信号線路の信号線路特性を導出することができるという優れた効果を奏する。
【図面の簡単な説明】
【００２０】
【図１】図１は、本発明の実施形態に係る光線路の信号線路特性導出システムが適用される光線路の配線図である。
【図２】図２は、同実施形態に係る光線路の信号線路特性導出システムの構成図である。
【図３】図３は、同実施形態に係る光線路の信号線路特性導出システムが導出する信号線路の信号線路特性を説明する説明図であって、同図（ａ）は、第一の光線路の区間を示す配線図であり、同図（ｂ）は、第一の光線路の区間ごとの信号線路特性を示す図であり、同図（ｃ）は、光線路の信号線路特性導出システムが導出した信号線路の信号線路特性を示す図である。
【図４】図４は、同実施形態に係る光線路の信号線路特性導出システムの制御フローチャートである。
【発明を実施するための形態】
【００２１】
本発明に係る光線路の信号線路特性導出システムの一実施形態を、図１〜図４を参照しつつ説明する。
【００２２】
まず、本実施形態に係る光線路の信号線路特性導出システムが信号線路特性を導出する光線路Ｌについて説明する。光線路Ｌは、図１に示すように、複数の信号線路を有する。光線路Ｌは、複数の信号線路が所望する場所にまで導かれた光芯線ＴＬ（ＴＬ１〜ＴＬ４）によって構成されている。光線路Ｌは、複数の光ケーブルＣＡをクロージャ（接続箱）ＣＬ（ＣＬ１，ＣＬ２）内で接続して、光ケーブルＣＡを所望する場所にまで直列に接続して構成されている。本実施形態に係る光線路Ｌは、第一の光ケーブルＣＡａ、第二の光ケーブルＣＡｂ及び第三の光ケーブルＣＡｃを直列に接続して形成される第一の光線路Ｌ１と、第一の光ケーブルＣＡａ、第二の光ケーブルＣＡｂ及び第四の光ケーブルＣＡｄを直列に接続して形成される第二の光線路Ｌ２とを備える。
【００２３】
光線路Ｌは、複数の区間Ｓを有する。本実施形態に係る光線路Ｌは、光ケーブルＣＡ間の接続部で区切られており、光ケーブルＣＡａ，ＣＡｂ，ＣＡｃ，ＣＡｄごとに一つの区間Ｓ１〜Ｓ４を形成する。本実施形態に係る光ケーブルＣＡは、多芯（四芯）のケーブルであり、該光ケーブルＣＡがクロージャＣＬで直列に接続されることにより、光線路Ｌは、複数の光芯線ＴＬ（ＴＬ１〜ＴＬ４）を形成する。光線路Ｌの区間Ｓのそれぞれには、複数の光芯線ＴＬを該区間Ｓで区切った区間Ｃ（Ｃ１〜Ｃ４）を有し、その複数の光芯線ＴＬの区間Ｃのうちの一つの光芯線ＴＬの区間Ｃを代表光芯線Ｃ１と定める。
【００２４】
次に、本実施形態に係る光線路の信号線路特性導出システム１について、図１及び図２を参照しつつ説明する。光線路の信号線路特性導出システム１は、信号線路特性を導出する信号線路を指定する信号線路指定部２と、光線路Ｌを区切った複数の区間Ｓ（Ｓ１〜Ｓ４）のそれぞれにある複数の光芯線ＴＬのうちの定められた代表光芯線Ｃ１の信号線路特性を記憶する信号線路特性データベース３と、複数の信号線路のそれぞれと対応する区間Ｓの組み合わせを記憶する区間データベース４と、信号線路指定部２に指定された信号線路を構成する組み合わせの区間Ｓを区間データベース４から抽出し、抽出された区間Ｓのそれぞれの信号線路特性を信号線路特性データベース３から抽出して合成する合成部５とを備える。更に、信号線路特性導出システム１は、光パルス試験器６を備える。
【００２５】
信号線路指定部２は、信号線路特性の導出を望む所望の信号線路の入力を受け付ける入力装置と、該入力装置からの信号を合成部５に送信する入出力インターフェースとを備える。
【００２６】
信号線路特性データベース３には、区間Ｓのそれぞれにおける代表光芯線Ｃ１の信号線路特性が記憶されている。つまり、区間Ｓのそれぞれにおける他の光芯線ＴＬ２〜ＴＬ４の区間Ｃ２〜Ｃ４の信号線路特性は、信号線路特性データベース３に記憶されていない。
【００２７】
区間データベース４には、信号線路ごとに該信号線路を構成する光線路Ｌの区間Ｓの組み合わせが記憶されている。例えば、第一の光芯線ＴＬ１が形成する信号線路は、第一の光線路Ｌを形成する区間Ｓに対応しており、具体的には、その区間Ｓの組み合わせは、第一の区間Ｓ１、第二の区間Ｓ２及び第三の区間Ｓ３である。
【００２８】
合成部５は、信号線路指定部２から入力された信号線路に関する情報に基づいて、該信号線路を構成する区間Ｓの組み合わせを区間データベース４から抽出する区間抽出部５１と、該区間抽出部５１が抽出した区間Ｓのそれぞれの信号線路特性を信号線路特性データベース３から抽出する信号線路特性抽出部５２と、該信号線路特性抽出部５２が抽出したそれぞれの区間Ｓの信号線路特性を合成する信号線路特性合成部５３とを備える。
【００２９】
ここで、信号線路特性合成部５３による光線路Ｌの区間Ｓごとの信号線路特性の合成について、図３に示す第二の光芯線ＴＬ２を例に説明する。第二の光芯線ＴＬ２は、図３（ａ）に示すように、第一の光線路Ｌ１に対応しており、第二の光芯線ＴＬ２は、第一の光線路Ｌ１における第一の区間Ｓ１，第二の区間Ｓ２及び第三の区間Ｓ３の組み合わせから構成される。
【００３０】
信号線路特性合成部５３は、図３（ｂ）に示す、信号線路特性抽出部５２が抽出した区画Ｓ１〜Ｓ３ごとの信号線路特性を、図３（ｃ）に示すように、第二の光芯線ＴＬ２の始端側（光パルス試験器６側）の第一の区間Ｓ１の信号線路特性から終端側の第二の区間Ｓ２，第三の区間Ｓ３の順に合成する。本実施形態に係る信号線路特性は、区間Ｓの始端側から発信された光信号を基準に終端側において受信した光信号の減衰傾向を示している。一般的に、各区間Ｓの信号線路特性は、各区間Ｓにおける信号線路ＴＬの伝送距離に比例して減衰する。よって、信号線路特性は、隣り合う区間Ｓの始端側の区間Ｓの信号線路特性の下限値（終端側）と、終端側の区間Ｓの信号線路特性の上限値とが一致するように合成される。
【００３１】
また、区間Ｓ内に接続部が存在する場合、更に、当該区間Ｓの信号線路特性には、接続損失Ｌｃが加わる。信号線路特性合成部５３（合成部５）は、信号線路特性データベース３から抽出された区間Ｓのそれぞれの信号線路特性と、それぞれの区間Ｓを区切る接続部における接続損失Ｌｃとを合成する。具体的には、各区間Ｓ１〜Ｓ３の信号線路特性は、光ケーブルＣＡａ〜ＣＡｃ間の接続部に接続損失Ｌｃが存在する場合は、光ケーブルＣＡ間の接続部の接続損失Ｌｃを減算して導出する。
【００３２】
光パルス試験器（ＯＴＤＲ；Ｏｐｔｉｃａｌ  Ｔｉｍｅ  Ｄｏｍａｉｎ  Ｒｅｆｌｅｃｔｏｍｅｔｅｒ）６は、区間Ｓごとの代表光芯線Ｃ１の信号線路特性を計測する。具体的には、光パルス試験器６は、光芯線ＴＬの伝送損失や距離測定、断線箇所の検出、あるいは融着接続やコネクタ接続などの接続損失や反射量（反射減衰量、リターンロス）を評価する測定器である。光パルス試験器６は、各光線路Ｌの一端（始端）側に設けられる。光パルス試験器６は、区間Ｓごとの光芯線ＴＬの区間Ｃの一端（始端）と光芯線ＴＬの区間Ｃの他端（終端）との間の信号線路特性を計測し、その計測された信号線路特性に関するデータを出力する。
【００３３】
次に、本実施形態に係る光線路の信号線路特性導出システム１による信号線路の光線路の信号線路特性を導出する方法を、図４を参照しつつ説明する。
【００３４】
まず、信号線路特性を導出する信号線路を信号線路指定部２に指定する。信号線路指定部２が信号線路の入力を受け付けると（信号線路指定工程）（ステップ１でＹＥＳ）、合成部５（区間抽出部５１）は、信号線路指定部２に指定された信号線路を構成する組み合わせの区間Ｓを区間データベース４から抽出する（区間抽出工程）（ステップ２）。続けて、合成部５は、抽出された区間Ｓのそれぞれの信号線路特性が信号線路特性データベース３に記憶されているかを判定する（ステップ３）。
【００３５】
抽出された区間Ｓのそれぞれの信号線路特性が信号線路特性データベース３に記憶されている場合（ステップ３でＹＥＳ）、合成部５（信号線路特性抽出部５２）は、抽出された区間Ｓのそれぞれの信号線路特性を信号線路特性データベース３から抽出する（信号線路特性抽出工程）（ステップ４）。続けて、合成部５（信号線路特性合成部５３）は、抽出された区間Ｓのそれぞれの信号線路特性を合成して、指定された信号線路の信号線路特性を導出する（信号線路特性合成工程）（ステップ５）。
【００３６】
抽出された区間Ｓのそれぞれの信号線路特性が信号線路特性データベース３に記憶されていない場合（ステップ３でＮＯ）、合成部５は、光パルス試験器６などにより、抽出された区間Ｓのそれぞれの信号線路特性を計測して、信号線路特性データベース３に記憶する（ステップ６）。そして、再び、合成部５（信号線路特性抽出部５２）は、抽出された区間Ｓのそれぞれの信号線路特性を信号線路特性データベース３から抽出する（信号線路特性抽出工程）（ステップ４）。続けて、合成部５（信号線路特性合成部５３）は、抽出された区間のそれぞれの信号線路特性を合成して、指定された信号線路の信号線路特性を導出する（信号線路特性合成工程）（ステップ５）。
【００３７】
このようにすれば、信号線路特性データベース３には、複数の区間Ｓのそれぞれの代表光芯線Ｃ１の信号線路特性のみが記憶されている。つまり、複数ある光芯線ＴＬの区間Ｃのうちの残りの光芯線ＴＬ２〜ＴＬ４の区間Ｃ２〜Ｃ４の信号線路特性は、信号線路特性データベース３には、記憶されていない。残りの光芯線ＴＬ２〜ＴＬ４の区間Ｃ２〜Ｃ４信号線路特性は、代表光芯線Ｃ１の信号線路特性と略同一の特性を有する。そのため、光線路Ｌのそれぞれの区間Ｓにおける所望の信号線路の信号線路特性が当該区間Ｓにおける代表光芯線Ｃ１でなく、信号線路特性データベース３に記憶されていなくても、当該区間Ｓにおける代表光芯線Ｃ１の信号線路特性を、当該区間Ｓにおける所望の信号線路の信号線路特性として利用することができる。
【００３８】
そして、所望の信号線路と対応する区間Ｓの組み合わせは、区間データベース４から抽出することができるため、所望の信号線路を構成する組み合わせの区間Ｓごとの信号線路特性を抽出することができる。これらの区間Ｓごとの信号線路特性を合成することにより、所望の信号線路の信号線路特性が導出される。よって、信号線路特性データベース３に光芯線ＴＬごとの信号線路特性が記憶されていなくても、所望の信号線路の信号線路特性を導出することができる。更に、光芯線ＴＬごとに信号線路特性を計測する必要もない。
【００３９】
また、合成部５は、信号線路特性データベース３から抽出された区間Ｓのそれぞれの信号線路特性と、それぞれの区間Ｓを区切る接続部における接続損失Ｌｃとを合成することにより、接続損失Ｌｃも考慮して、信号線路の信号線路特性が導出されるため、合成部５が導出する信号線路の信号線路特性は、より正確な特性となる。
【００４０】
なお、本発明は、上記実施形態に限定されず、本発明の要旨を逸脱しない範囲で様々な変更が可能である。
【００４１】
上記実施形態に係る光線路の信号線路特性導出システム１は、光線路Ｌの区間Ｓの信号線路特性として、代表光芯線Ｃ１の信号線路特性を信号線路特性データベース３に記憶していたが、これに限定されるものではない。光線路Ｌの区間Ｓのそれぞれにおける、代表光芯線Ｃ１の信号線路特性と、光線路Ｌの区間Ｓに対応する光芯線ＴＬ２〜ＴＬ４の区間Ｃ２〜Ｃ４の信号線路特性とは、略同一であるため、信号線路特性データベース３に記憶される光線路Ｌの区間Ｓの信号線路特性は、代表光芯線Ｃ１以外の光芯線ＴＬ２〜ＴＬ４の区間Ｃ２〜Ｃ４の信号線路特性であってもよい。
【符号の説明】
【００４２】
１…光線路の信号線路特性導出システム、２…信号線路指定部、３…信号線路特性データベース、４…区間データベース、５…合成部、５１…区間抽出部、５２…信号線路特性抽出部、５３…信号線路特性合成部、６…光パルス試験器（ＯＴＤＲ）、Ｌ（Ｌ１，Ｌ２）…光線路、Ｓ（Ｓ１〜Ｓ４）…区間、ＴＬ（ＴＬ１〜ＴＬ４）…光芯線、ＣＡ（ＣＡａ〜ＣＡｄ）…光ケーブル、Ｃ（Ｃ１〜Ｃ４）…光芯線の区間、ＣＬ（ＣＬ１，ＣＬ２）…クロージャ（接続部）、Ｌｃ…接続損失
【図１】
0005851484.tif 000002
【図２】
0005851484.tif 000003
【図３】
0005851484.tif 000004
【図４】
0005851484.tif 000005